(57)【要約】      （修正有）【課題】ベッドの種類を問わず、ベッドを部屋内に持ち込んで、部屋内に容易に固定できると共に、該固定されたベッドの固定を容易に解除できるベッド固定装置を提供する。【解決手段】ベッド固定装置２は、部屋の内側壁１ａに設けた凹部４内に固定したケース６と、ケース６の前面板６ａに設けたベルト挿通孔７ａ、７ｂと、ケース６内に設けたベルト巻取装置８と、ベルト巻取装置８から引き出され、中間部５ａがベルト挿通孔７ａ、７ｂを通じて、ケース６内から外に露出し、先端が前記ケース６に固定されているベルト５とよりなる。【選択図】図４
2017086168.tif 000002
【特許請求の範囲】
【請求項１】
部屋の内側壁に設けた凹部内に固定したケースと、
該ケースの前面板に設けたベルト挿通孔と、
該ケース内に設けたベルト巻取装置と、
該ベルト巻取装置から引き出され、中間部が前記ベルト挿通孔を通じて、前記ケース内から外に露出し、先端が前記ケースに固定されているベルトとよりなることを特徴とするベッド固定装置。
【請求項２】
前記ベルト挿通孔は、左右方向に離間した２つの孔よりなり、
該２つの孔をベルトが挿通されていることを特徴とする請求項１に記載のベッド固定装置。
【請求項３】
前記２つの孔は、前記前面板に形成された矩形状の開口孔の左右縁と、これら左右縁間に位置して、前記ケース本体に固定された矩形状の板体の左右縁との間隙により形成されていることを特徴とする請求項１記載のベッド固定装置。
【発明の詳細な説明】
【技術分野】
【０００１】
本発明は、精神科病院の病室、刑務所又は警察の留置場などの部屋に設けられるベッドの固定装置に関する。
【背景技術】
【０００２】
例えば、精神疾患患者は、病状により、自殺企図、自傷行為、暴力行為、器物破損などの行為に及ぶことがあるため、拘束用ベッドに拘束帯（抑制帯）などによって拘束される場合がある。
【０００３】
かかる拘束用ベッドとしては、例えば、特許文献１がある。
【先行技術文献】
【特許文献】
【０００４】
【特許文献１】特開２００８−９３１８７号公報
【発明の概要】
【発明が解決しようとする課題】
【０００５】
しかしながら、患者等を拘束ベッドに拘束帯（抑制帯）などにより拘束していても、床などに固定されていないベッドでは、患者等が暴れた時に、ベッドが移動してしまったり、患者等がベッドごと立ち上がってしまったりするような危険性があった。
【０００６】
本発明は、ベッドの種類を問わず、ベッドを部屋内に持ち込んで、部屋内に容易に固定できると共に、該固定されたベッドの固定を容易に解除できるベッド固定装置を提供することを目的とする。
【課題を解決するための手段】
【０００７】
前記の目的を達成すべく、本発明のベッド固定装置は、部屋の内側壁に設けた凹部内に固定したケースと、該ケースの前面板に設けたベルト挿通孔と、該ケース内に設けたベルト巻取装置と、該ベルト巻取装置から引き出され、中間部が前記ベルト挿通孔を通じて、前記ケース内から外に露出し、先端が前記ケースに固定されているベルトとよりなることを特徴とする。
【０００８】
また、前記ベルト挿通孔は、左右方向に離間した２つの孔よりなり、該２つの孔をベルトが挿通されていることを特徴とする。
【０００９】
また、前記２つの孔は、前記前面板に形成された矩形状の開口孔の左右縁と、これら左右縁間に位置して、前記ケース本体に固定された矩形状の板体の左右縁との間隙により形成されていることを特徴とする。
【発明の効果】
【００１０】
本発明によれば、ベッドの種類を問わず、ベッドを部屋内に容易に固定できると共に、固定されたベッドの固定を容易に解除できるようになる。
【図面の簡単な説明】
【００１１】
【図１】本発明の実施例１のベッド固定装置が設けられた部屋に縦方向にベッドを固定した状態を示す正面図である。
【図２】図１の平面図である。
【図３】本発明の実施例１のベッド固定装置が設けられた部屋に横方向にベッドを固定した状態を示す平面図である。
【図４】該ベッド固定装置の横断平面図である。
【図５】該ベッド固定装置の正面図である。
【図６】該ベッド固定装置により、ベッドの脚を固定し状態を示す横断平面図である。
【図７】該ベッド固定装置により、ベッドの脚を固定した状態を示す正面図である。
【図８】該ベッド固定装置を使用していない状態を示す正面図である。
【発明を実施するための形態】
【００１２】
本発明を実施するための形態の実施例を以下に示す。
【実施例１】
【００１３】
本発明の実施例１を図１乃至図８により説明する。
【００１４】
図１及び図２に示すように、１は、例えば、精神科病院の病室、刑務所又は警察の留置場など部屋、２は、ベッド３の固定装置であり、該ベッド固定装置２は、前記部屋１の内側壁１ａの下部に設けられた凹部４内に埋め込んで固定される。
【００１５】
なお、前記ベッド固定装置２は、前記内側壁１ａに床１ｂに沿って、例えば、３つ設けられ、例えば、図２に示すように、部屋２の内側壁１ａに対して直角に、ベッド３を縦方向に設置して固定する場合には、隣接する２つのベッド固定装置２ａ、２ｂ（又は２ｂと２ｃ）のベルト５、５により、前記ベッド３の前脚３ａ、３ａをそれぞれ固定するようにする。
【００１６】
また、図３に示すように、部屋２の内側壁１ａに対して並行に、ベッド３を横方向に設置して固定する場合には、離れた２つのベッド固定装置２ａ、２ｃのベルト５，５により、前記ベッド３の前脚３ａと、後脚３ｂとをそれぞれ固定するようにする。
【００１７】
なお、前記ベッド固定装置２は、１つ、又は、２つ、又は、４つ以上設けてもよい。
【００１８】
また、前記ベッド固定装置２は、例えば、図４及び図５に示すように、前記内側壁１の凹部４内に埋め込まれて固定された、金属製の平箱状のケース６と、該ケース６の前面板６ａに形成した左右２つのベルト挿通用孔７ａ、７ｂと、前記ケース６内に固定して設けたベルト巻取装置８とよりなる。
【００１９】
そして、該ベルト巻取装置８は、ベルトの巻取りと、該ベルトの引き出しと、該ベルトの引き出しの阻止と、該阻止の解除が可能なベルトを巻取ると共にそれ以上ベルトを引き出せない巻取装置であって、例えば、ベルト５を弾発に抗して引き出し可能な巻取機構と、前記ベルト５を手動又は自動により強制的に、前記巻取機構に巻き取る巻取りレバーと、該巻き取られたベルト５の引き出しを係止するラチェット機構と、該係止を解除する解除手段とよりなる。
【００２０】
なお、９は、前記前面板６ａに設けた、前記ケース６内の前記ベルト巻取装置８を操作するために設けられた操作用開口孔、１０は、該開口孔９を塞ぐ蓋１０である。
【００２１】
また、前記ベルト巻取装置８から引き出されるベルト５は、その中間部５ａが、前記孔７ａ、７ｂを通じて、前記ケース６内から該ケース６外に露出し、先端部が前記ケース６（又は該ケースに固定された前記ベルト巻取装置８のベース部）に固定されている。
【００２２】
なお、１１、１２は、それぞれ、前記ベルト５の移動をガイドする、前記ケース６内に固定されたガイド軸である。
【００２３】
また、前記左右２つのベルト挿通用孔７ａ、７ｂは、前記前面板６ａの略中央に設けた、矩形状の開口孔１３の左右縁と、該開口部１３よりも若干奥（ケース６内側）で、該開口孔１３の左右縁間に位置し、前記ケース６内に固定して設けた、矩形状の金属製板部材１４の左右縁との隙間により構成されたスリットより形成され、該板部材１４の左右方向は、前記開口孔１３の左右方向の長さよりも若干短くして形成されて、前記ベルト挿通用孔が形成され、該板部材１４を、別部材として、前記ケース６内に固定することにより、該板部材１４が強固に固定され、前記ベルト挿通用孔７ａ、７ｂが破損することが防止されるようになる。
【００２４】
なお、強度が若干弱くなるが、ベルト挿通用孔７ａ、７ｂを、前記開口孔１３と板部材１４とにより構成する代わりに、前記前面板６ａの略中央に、左右方向に離間した２つの上下方向に延びるスリットを設けて形成するようにしてもよい。
【００２５】
本発明のベッド固定装置の使用方法及び効果について説明する。
【００２６】
例えば、図２に示すように、ベッド３を内側壁１ａに対して縦方向に設置する場合、まず、２つのベッド固定装置２ａ、２ｂの各ケース６の前面板６ａの蓋１０を開け、ベルト巻取装置８の解除手段によりラチェット機構によるベルトの引き出しの係止を解除して、前記巻取機構からベルト５を弾発に抗して引き出し、前記ベッド３の前脚３ａ、３ａをそれぞれ挿入できるまで、前記ケース６外に露出したベルト５を伸ばす。
【００２７】
次に、前記各ベッド固定装置２ａ、２ｂの前面板６ａと前記露出したベルト５との隙間に、前記ベッド３の前脚３ａ、３ａをそれぞれ挿入し、前記解除手段を解除して、例えば、手動により前記巻取レバーを操作して、前記ベルト５を強制的に巻き取るとともに、前記ラチェット機構により前記ベルト５の引き出しを係止して、図６に示すように、前脚３ａ、３ａが前記ベッド固定装置２に強固に固定されるまで、締め付ける。
【００２８】
そして、図７に示すように、蓋１０を閉め、ネジ１６などで固定し、必要に応じて鍵（図示せず）等をかけ、患者等が、前記ケース６内のベルト巻取装置８を操作できないようにする。
【００２９】
これにより、前記ベッド３が強固に内側壁１ａに固定されるようになり、患者等が暴れたとしても、ベッド３が移動することがないようになる。
【００３０】
次に、前記固定されたベッド３を移動させるためには、まず、前記蓋１０を外し、ベルト巻取装置８の解除手段によりラチェット機構によるベルト５の引き出しの係止を解除して、これにより、ベルトが引き出さるようになるから、前記ベルト５を伸ばし、そして、前記ベッド３の前脚３ａ、３ａをそれぞれ、前記間隙から抜き、該ベッド３を移動できるようにする。
【００３１】
そして、前記ベッド固定装置２を使用しない場合には、図７に示すように、前記蓋１０を閉め、ネジ１６などで固定し、必要に応じて鍵（図示せず）等をかけると共に、前記前面板６ａのベルト挿通用孔７ａ、７ｂを塞ぐために、蓋体１５で塞ぎ、ネジ１７などにより固定し、必要に応じて鍵（図示せず）等をかけ、患者等が、前記ベルト巻取装置８やベルト５等を操作できないようにする。
【００３２】
本発明によれば、ベッドの種類を問わず、ベッドを部屋内に容易に固定できると共に、該固定されたベッドの固定を容易に解除できるようになる。
【００３３】
なお、前記例は、ベッド３を内側壁１ａに対して、縦方向に設置する場合であるが、図３に示すように、横方向に設置する場合も前記と同様の方法で、ベッドを固定するようにする。
【産業上の利用可能性】
【００３４】
本発明のベッド固定装置は、精神科病院の病室、刑務所又は警察の留置場等の部屋、船舶内、その他、ベッドの固定が必要な場所に利用される。
【符号の説明】
【００３５】
１      部屋
１ａ    内側壁
１ｂ    床
２      ベッド固定装置
３      ベッド
３ａ    前脚
３ｂ    後脚
４      凹部
５      ベルト
５ａ    中間部
６      ケース
６ａ    前面板
７ａ    ベルト挿通用孔
７ｂ    ベルト挿通用孔
８      ベルト巻取装置
９      開口孔
１０    蓋
１１    ガイド軸
１２    ガイド軸
１３    開口孔
１４    板部材
１５    蓋体
１６    ネジ
１７    ネジ
【図１】
2017086168.tif 000003
【図２】
2017086168.tif 000004
【図３】
2017086168.tif 000005
【図４】
2017086168.tif 000006
【図５】
2017086168.tif 000007
【図６】
2017086168.tif 000008
【図７】
2017086168.tif 000009
【図８】
2017086168.tif 000010